(57)【要約】【課題】無線での送受信時に多量のデータが入力された際に、高速通信に要する時間を最小限にし効率的にデータを送受信することができる無線送受信システムを提供する。【解決手段】無線通信により通信するデータの量を判定するデータ量判定部５とデータ量が予め入力された判定基準以下の場合にデータを低速で送信する低速送受信部２と前記データ量が前記判定基準より多い場合にデータを高速で送信する高速送信部３とを有するデータ入力変換部１を有する無線送受信システムであって、データ入力変換部１の高速送信部３が、空き周波数帯を検索する空き周波数帯検索機能３Ｂと空き周波数帯の内で多量データの送信時間を最小とする周波数帯を使用する周波数帯として決定する周波数帯決定機能３Dと、この周波数帯に対応して前記多量データを送信する高速送信機能３Ａとを備える構成とした。【選択図】図１
2011188425.tif 000002
【特許請求の範囲】
【請求項１】
外部入力されるデータを無線通信により送信するデータ入力変換部と、このデータ入力変換部から送信される前記データを被制御装置駆動用として受信するデータ出力変換部とを備えて成る無線送受信システムにおいて、
前記データ入力変換部が、データの量の大小を予め設定された判定基準に基づいて判定するデータ量判定部と、前記データ量が前記判定基準以下である旨前記データ量判定部が判断した場合に前記データを低速で送信する低速送受信部と、前記データ量が前記判定基準より多いと前記データ量判定部が判断した場合に前記データを高速で送信する高速送信部とを備えた構成とし、
前記データ出力変換部が、前記低速送受信部と通信する低速通信部と、前記高速送信部と通信する高速通信部とを備えた構成とし、
前記データ入力変換部の前記高速送信部が、複数の空き周波数帯を検索する空き周波数帯検索機能と、前記複数の空き周波数帯の内の前記データの送信時間を最小とする周波数帯を特定する周波数帯決定機能とを備えていることを特徴とする無線送受信システム。
【請求項２】
請求項１に記載の無線送受信システムにおいて、
前記高速送信部が、前記周波数帯の特定に際しては、前記各空き周波数帯の情報に基づいて単位時間に送信可能な情報量をそれぞれ算定すると共に、これに基づいて前記送信データの送信時間を各周波数帯毎に算定する送信時間算定機能を有することを特徴とする無線送受信システム。
【請求項３】
請求項２に記載の無線送受信システムにおいて、
前記データ入力変換部の低速送受信部は、前記高速送信部が使用する周波数帯の情報を前記データ出力変換部の前記低速通信部へ送信する周波数帯情報送信機能を有し、
前記データ出力変換部の前記低速通信部は、前記高速送信部が使用する周波数帯の情報を受信すると共に予め装備した動作制御部へ伝達する周波数帯使用情報伝達機能を有し、
前記動作制御部から伝達された前記使用周波数帯を、前記高速通信部が前記高速送信部と通信する周波数として可変設定する周波数帯可変設定機能を有することを特徴とした無線送受信システム。
【請求項４】
請求項１乃至３の何れか１つに記載の無線送受信システムにおいて、
前記データ出力変換手段が前記データ入力変換手段と同等の送信機能を有すると共に、前記データ入力変換手段が前記データ出力変換手段と同等の受信機能を備えた構成とし、相互にデータを送受信することができる双方向通信機能を備えていることを特徴とした無線送受信システム。
【請求項５】
請求項１乃至４の何れか１つに記載の無線送受信システムにおいて、
前記データ入力変換手段と前記データ出力変換手段との間における低速通信側の通信空間に、前記低速送受信部と前記低速通信部との間で送受信用の電波の伝播を案内する導電体部を配設したことを特徴とする無線送受信システム。
【請求項６】
外部入力されるデータを無線通信により送信するデータ入力変換部と、このデータ入力変換部から送信される前記データを被制御装置駆動用として受信するデータ出力変換部とを備えて成る無線送受信システムにあって、
前記データの量の大小を前記データ入力変換部のデータ量判定部が予め設定された判定基準に基づいて判定し、前記データ量が前記判定基準以下と判定された場合に前記データを低速で前記データ入力変換部の低速送受信部がデータ出力変換部へ低速で送信し、前記データ量が前記判定基準より多いと判定された場合に前記データを前記データ入力変換部の高速送信部がデータ出力変換部へ高速で送信し、
前記高速送信部による前記データの高速送信に先立って、
前記高速通信に使用する空き周波数帯を前記高速送信部が検索し、この検索により前記複数の空き周波数帯が検索された場合には、その内で前記データの送信時間を最小とする周波数帯を使用周波数帯として高速送信部が特定することを特徴とする無線送受信方法。
【請求項７】
請求項６に記載の無線送受信方法において、
前記空き周波数帯の特定に際しては、
前記各空き周波数帯の情報に基づいて単位時間に送信可能な情報量を空き周波数帯毎にそれぞれ算定し、この算定結果に基づいて前記送信データの送信時間を各空き周波数帯毎に算定し、これらの各算定を前記高速送信部が実行することを特徴とする無線送受信方法。
【請求項８】
データ入力変換部から送信されるデータを被制御装置駆動用として受信するデータ出力変換部とを備えて成る無線送受信システムにあって、
前記高速送信部で特定された使用周波数帯に係る情報を、前記低速送受信部が前記データ出力変換部へ送信し、この情報を受信した前記データ出力変換部の前記低速通信部はこの情報を予め装備された前記データ出力変換部の動作制御部へ伝達し、前記動作制御部に伝達された前記情報に基づいて前記高速通信部が、前記高速送信部との通信を実行することを特徴とする無線送受信方法。
【請求項９】
外部入力されるデータを無線通信により送信するデータ入力変換部と、このデータ入力変換部から送信される前記データを被制御装置駆動用として受信するデータ出力変換部とを備えて成る無線送受信システムにあって、
前記データの量の大小を予め設定された判定基準に基づいて判定するデータ量判定機能、前記データ量が前記判定基準以下と判定された場合に、前記データを前記データ入力変換部に予め設定された低速送受信部を介して前記データ出力部へ低速送信するデータ低速送信制御機能、
前記データの量が前記判定基準より多いと判定された場合に前記データを前記データ入力変換部に予め設定された高速送信部を介して前記データ出力部へ高速送信するデータ高速送信制御機能、
前記データ高速送信制御機能による前記データの高速通信に際しては、予め前記高速通信に使用する空き周波数帯を当該高速送信部を介して検索する空き周波数帯検索制御機能、
およびこの検索により複数の空き周波数帯が検索された場合に、その内で前記データの送信時間が最小となる周波数帯を使用周波数帯として特定する使用周波数帯特定機能、
をプログラム化しコンピュータに実現させるようにしたことを特徴とする無線送受信システム用制御プログラム。
【請求項１０】
請求項９に記載の無線送受信システム用制御プログラムにおいて、
前記空き周波数帯の特定に際しては、前記各空き周波数帯の情報に基づいて単位時間に送信可能な情報量を空き周波数帯毎に算定する送信情報量算定機能、
およびこの算定結果に基づいて前記送信データの送信時間を各空き周波数帯毎に算定する送信時間算定機能を設け、
これらをプログラム化し前記コンピュータに実現させるようにしたことを特徴とする無線送受信システム用制御プログラム。
【発明の詳細な説明】
【技術分野】
【０００１】
本発明は、無線での送受信システムに係り、特に、データの送信に際し、伝送周波数帯を適宜選択することにより送信時間を有効に低減し効率の良い無線送受信を行うようにした無線送受信システム、無線送受信方法、及び無線送受信プログラムに関する。
【背景技術】
【０００２】
無線送受信システムにかかる関連技術の一例を図５に示す。
この図５に示す無線送受信システムは、一系統の送受信部でデータの送受信を行うように構成されており、入力されるデータを無線通信により外部に対して送信するデータ入力変換手段１０１と、このデータ入力変換手段１０１から送信されるデータを予め併設された被制御装置本体１２１を駆動するためのデータとして受信するデータ入力変換手段１０１とを備えて構成されている。
【０００３】
この内、データ入力変換手段１０１は、前述した送信用のデータを入力する情報入力部１０４と、この情報入力部１０４で入力した送信用のデータを所定周波数の搬送波で変調しアンテナ１０１ａを介して外部へ送信する無線送受信部１０２と、この無線送受信部１０２の動作を制御する制御部１０３とを備えている。
【０００４】
ここで、この制御部１０３は、予め装備したクロック部１０５の出力であるクロック信号に同期して、その制御動作が実行されるようになっている。
又、データ入力変換手段１０１は、外部から所定の情報を受信して処理する送受信機能を備えたものとなっている。
【０００５】
更に、データ出力変換手段１１１は、前述したデータ入力変換手段１０１から無線送信されるデータをアンテナ１１１ａを介して受信し復調して前記データを取り出す無線通信部１１２を備えている。そして、この復調された前記データは、前述した被制御装置本体１２１へと送られ、駆動用として利用されるようになっている。
【０００６】
又、前記無線送受信システムに関する他の関連技術としては、下記特許文献１乃至特許文献４が知られている。
この内、特許文献１には、大容量コンテンツを蓄積した高速配信コンテンツサーバと、この高速配信コンテンツサーバと接続された専用線と、前記コンテンツサーバに接続されたインターネットバックボーンと、加入者が使用する端末と、端末に接続された高速通信路及び低速通信回線と、高速付加サービスセンタとを備え、高速付加サービスセンタは専用線及びインターネットバックボーンから伝送された下りデータを、データのヘッダによる属性及び／又はデータ容量、データ量等に関する振分け条件に従い、高速通信路又は低速通信回線のいずれかに伝送することを特徴とするシステムが開示されている。
【０００７】
特許文献２には、常時接続されている低コストな低速通信方式および接続コストの高い高速通信方式との２種類の通信方式を有する端末装置の通信制御方式が開示されている。この通信制御方式は、低速通信制御手段は低速通信方式により通信を行い、高速通信制御手段は高速通信方式により通信を行い、通信データ量計測手段は一定時間当たりの通信データ量を測定し、回線制御手段は通信データ量に応じて高速通信方式による通信の接続と切断とを行うことを特徴としている。
【０００８】
特許文献３には、アンテナスイッチが複数のダイオードからなる高周波スイッチであり、切替制御信号により無線通信方式Ａまたは無線通信方式Ｂのいずれかを選択し、アンテナを介して基地局との間でメッセージの送受信を行うシステムが開示されている。この特許文献３の記載にあって、ＣＰＵ（中央演算装置）は、通常ダイオードをオフ（ＯＦＦ）とするアンテナスイッチの制御を行い、各無線通信方式の受信電界のモニターレベルが所定のレベル未満の時にのみ、当該無線通信方式を選択する切り替え制御を行うできることを特徴としている。
【０００９】
特許文献４には、空中線と、第１の無線部と、第１の無線部からの第１の低周波信号を入力して音声信号を処理する音声信号処理部と、第２の無線部と、第２の無線部からの第２の低周波信号を入力して音声信号を処理する音声信号処理部と、空中線からの高周波信号を第１の無線部に接続するか第２の無線部に接続するかを選択する切替回路とを備えることにより、２つの無線通信方式の送受信を1台の無線通信機で行うので、1台で２役の有効利用ができるシステムが開示されている。
【先行技術文献】
【特許文献】
【００１０】
【特許文献１】特開２００２−２７００９
【特許文献２】特開平５−１１４９１３
【特許文献３】特開２００５−２０４４４
【特許文献４】特開平５−３０４４９５
【発明の概要】
【発明が解決しようとする課題】
【００１１】
しかしながら、図５に示した無線通信に関する技術では、無線通信が行える距離は、アンテナを含めた送信パワー、受信感度及び搬送波の周波数で決定される。その中で搬送波の周波数が低い場合は、低い送信パワーで通信距離を長くすることができる反面、変調して送ることができるデータ量が少ないという欠点がある。これに対して、同じ距離を高い周波数での搬送波を使って通信する場合は、データ通信速度を速くできるという利点があるが反面、送信パワーを高くする必要があり、消費電力が多くなるという欠点がある。
【００１２】
上記の欠点を解決する技術として、特許文献１と特許文献２には、データに関する振分け条件に従い、入力されたデータに最適な通信路である高速通信回線又は低速通信回線のいずれかを用いて前記データを伝送することを特徴とするシステムが開示されている。しかし、高速通信回線の単位時間当たりに通信できる情報量が固定されているため、大量データの高速送信に際しては、データ量に比例した送信時間を要することとなり、効率的に送受信することができないという不都合があった。
【００１３】
又、特許文献３と特許文献４に関しては、振り分け条件により、二つの通信回線の内、一つを選択する技術が開示されており、前述した図５の関連技術が備えている不都合を、そのまま備えたものとなっている。
【００１４】
［発明の目的］
本発明は、上記課題を改善するために成されたもので、特に、多量のデータの無線送信に際し、データ受信側が短時間で当該多量のデータを利用できるようにするために、高速通信回線を利用して当該多量のデータを短時間で効率的に送受信することを可能とする無線送受信システム、無線送受信方法、及び無線送受信プログラムを提供することを、その目的とする。
【課題を解決するための手段】
【００１５】
上記目的を達成するため、本発明にかかる無線送受信システムは、
外部入力されるデータを無線通信により送信するデータ入力変換部と、このデータ入力変換部から送信される前記データを被制御装置駆動用として受信するデータ出力変換部とを備えて成る無線送受信システムにおいて、前記データ入力変換部が、データの量の大小を予め設定された判定基準に基づいて判定するデータ量判定部と、前記データ量が前記判定基準以下である旨前記データ量判定部が判断した場合に前記データを低速で送信する低速送受信部と、前記データ量が前記判定基準より多いと前記データ量判定部が判断した場合に前記データを高速で送信する高速送信部とを備えた構成とし、前記データ出力変換部が、前記低速送受信部と通信する低速通信部と、前記高速送信部と通信する高速通信部とを備えた構成とし、前記データ入力変換部の前記高速送信部が、複数の空き周波数帯を検索する空き周波数帯検索機能と、前記複数の空き周波数帯の内の前記データの送信時間を最小とする周波数帯を特定する周波数帯決定機能とを備えていることを特徴とする。
【００１６】
上記目的を達成するため、本発明にかかる無線送受信方法は、
外部入力されるデータを無線通信により送信するデータ入力変換部と、このデータ入力変換部から送信される前記データを被制御装置駆動用として受信するデータ出力変換部とを備えて成る無線送受信システムにあって、前記データの量の大小を前記データ入力変換部のデータ量判定部が予め設定された判定基準に基づいて判定し、前記データ量が前記判定基準以下と判定された場合に前記データを低速で前記データ入力変換部の低速送受信部がデータ出力変換部へ低速で送信し、前記データ量が前記判定基準より多いと判定された場合に前記データを前記データ入力変換部の高速送信部がデータ出力変換部へ高速で送信し、前記高速送信部による前記データの高速送信に先立って、前記高速通信に使用する空き周波数帯を前記高速送信部が検索し、この検索により前記複数の空き周波数帯が検索された場合には、その内で前記データの送信時間を最小とする周波数帯を使用周波数帯として高速送信部が特定することを特徴とする。
【００１７】
上記目的を達成するため、本発明にかかる無線送受信システム用制御プログラムは、
外部入力されるデータを無線通信により送信するデータ入力変換部と、このデータ入力変換部から送信される前記データを被制御装置駆動用として受信するデータ出力変換部とを備えて成る無線送受信システムにあって、前記データの量の大小を予め設定された判定基準に基づいて判定するデータ量判定機能、前記データ量が前記判定基準以下と判定された場合に、前記データを前記データ入力変換部に予め設定された低速送受信部を介して前記データ出力部へ低速送信するデータ低速送信制御機能、前記データの量が前記判定基準より多いと判定された場合に前記データを前記データ入力変換部に予め設定された高速送信部を介して前記データ出力部へ高速送信するデータ高速送信制御機能、前記データ高速送信制御機能による前記データの高速通信に際しては、予め前記高速通信に使用する空き周波数帯を当該高速送信部を介して検索する空き周波数帯検索制御機能、およびこの検索により複数の空き周波数帯が検索された場合に、その内で前記データの送信時間が最小となる周波数帯を使用周波数帯として特定する使用周波数帯特定機能、をプログラム化しコンピュータに実現させるようにしたことを特徴とする。
【発明の効果】
【００１８】
本発明は、多量のデータを対象とした高速通信に際し、上述したように送信時間を最小にする周波数帯を選定し使用するようにしたので、高速通信に要する時間を有効に低減することができ、周波数帯の有効利用を可能とすることができ、更に消費電力を少なくすることができるという優れた効果を有する無線送受信システム、無線送受信方法、及び無線送受信プログラムを提供できる。
【図面の簡単な説明】
【００１９】
【図１】本発明にかかる無線送受信システムの第１の実施の形態を示すブロック図である。
【図２】図１に開示した第１実施形態における無線送受信システムの動作を示すフローチャートである。
【図３】図１に開示した第１の実施形態の製品での実施例を示すブロック図である。
【図４】本発明の無線送受信システムの第２の実施形態を示すブロック図である。
【図５】本発明の無線送受信システムの第３の実施形態を示すブロック図である。
【図６】関連技術における一系統の送受信部でデータの送受信を行う無線送受信システムの例を示すブロック図である。
【発明を実施するための形態】
【００２０】
[第１の実施形態]
以下、本発明に係る無線送受信システムの第１実施形態を、図１乃至図２に基づいて説明する。
【００２１】
（全体の構成）
まず、本発明の第一の実施形態について、その基本的構成内容を説明する。
本第１実施形態の無線送受信システムは、図１に示すように、データが入力されると共にこのデータを無線通信で送信するデータ入力変換手段１と、このデータ入力変換手段１からの前記データを受信する送受信機能を備えたデータ出力変換手段１１とを備えている。このデータ出力変換手段１１には、当該データ出力変換手段１１が受信した前記データを有線通信を介して取り込み利用する被制御装置本体２１とが併設されている。
【００２２】
このデータ出力変換手段１１が受信するデータは、例えば、音声、画像といったデータである。前述したデータ入力変換手段１は、例えば、音声と画像を発信可能な携帯プレーヤであり、データ出力変換手段１１は、例えばこの音声と画像を受信する受信機であり、被制御装置本体２１は、テレビ受像機である。
【００２３】
この内、データ入力変換部１は、無線通信により通信するデータの量を判定するデータ量判定部５と、前記データ量が予め設定された判定基準以下と前記データ量判定部５が判断した場合に前記データを低速で送信する低速送受信部２と、前記データ量が前記判定基準より多いと前記データ量判定部５が判断した場合に前記データを高速で送信する高速送信部３とを備えている。又、データ出力変換部１１は、前記低速送受信部２と通信する低速通信部１２及び前記高速送信部３と通信する高速通信部１３を備えている。
【００２４】
更に、前記データ入力変換部１の前記高速送信部３が、空き周波数帯を検索する空き周波数帯検索機能３Ｂと、前記空き周波数帯の内で前記多量データの送信時間を最小とする周波数帯を使用する周波数帯として決定する周波数帯決定機能３Dと、前記周波数帯に対応して前記多量データを送信する高速送信機能３Ａとから構成されている。
以下、これをさらに詳細に説明する。
【００２５】
データ入力変換手段１は、前述したように外部入力されるデータを取り込む情報入力部６と、この入力されるデータのデータ量の大小を予め特定された判定基準に従って判定するデータ量判定部５と、このデータ量が判定基準より少ない場合に稼動する低速送受信部２と、このデータ量が判定基準以上の場合に稼動する高速送信部３と、この各送受信部を選定しその動作を指令する主制御部４とを備えている。
【００２６】
即ち、主制御部４は、データ量が判定基準よりも少ない旨前記データ量判定部５によって判定された場合に前述した低速送受信部２にその動作を指令し、データ量が判定基準以上である旨前記データ量判定部５によって判定された場合に前述した高速送信部３にその動作を指令する送受信部用動作指令機能を備えている。
【００２７】
ここで、低速送受信部２は、前述したように主制御部４の動作指令によって稼動し、送信データ（少量データ）を所定周波数の搬送波で変調しアンテナ１ａを介して外部へ発信（送信）する機能を備えている。又、高速送信部３は、前述したように主制御部４の動作指令によって稼動し、送信データ（大量データ）を所定の高い周波数の搬送波で変調しアンテナ１ｂを介して外部へ発信（送信）する機能を備えている。
【００２８】
前述した主制御部４は、予め併設されたクロック部７から出力される所定周期のクロックに同期して作動し、この同期速度に基づいて前述した各構成要素を同一のタイミングで駆動制御するように構成されている。
これにより、上記データ入力変換手段１は、入力されたデータ量のが少ない場合は低速で、又多い場合は高速で、それぞれデータ出力変換手段１１と無線通信によりデータの送受信を相互に可能とする構成となっている。
【００２９】
ここで、前述した送信するデータとこのデータの量が少ないか多いかの判定基準については、これをオペレータによって外部入力するように構成してもよい。又、このデータの量の判定基準は、データを低速送受信部２で送信に要すると想定される時間が許容されうる範囲であるか否かを基準にしてもよい。更に、この情報入力部６については、具体的には、オペレータが直接操作するキーボードやマウスと入力状況を表示する液晶ディスプレイ、及び大規模のデータを記録している光ディスク機器や磁気記憶ディスク機器の入力デバイスおよび他のコンピュータへと接続できる機器により構成するようにしてもよい。これにより、送信するデータを入力し、データ量を判定する判定基準を容易に可変設定することができる。
【００３０】
ここで、主制御部４は、使用する搬送波の周波数帯の情報を高速送信部３から受け取り低速送受信部２へ送る。これにより、前記データを実際に低速送信するか高速送信するかの指示がそれぞれの送受信部へ自動的に伝達されるようになっている。
【００３１】
ここで、前述した各送受信部２，３について、更に詳述する。
低速送受信部２は、主制御部４の動作指示と前記データを受け、前記データを所定の周波数の搬送波で変調し低速送受信アンテナ１ａを介してデータ出力変換手段１１へ送信する低速送受信機能２Ａと、高速送信部３が動作する場合に、高速送信部３が決定した搬送波の使用周波数帯の情報をデータ出力変換手段１１へ送信する周波数帯情報送信機能２Ｂとを有している。データ出力変換手段１１は、この決定された周波数帯の情報に基づいて、前記データを受信する準備を行う。
【００３２】
この内、低速送受信機能２Ａは、主制御部４の動作指示と前記データを受け、前記データを所定の周波数の搬送波で変調し低速送受信アンテナ１ａを介してデータ出力変換手段１１へ送信する。又、周波数帯情報送信機能２Ｂは、高速送信部３が動作する場合に、高速送信部３が決定した搬送波の使用周波数帯の情報をデータ入出力変換手段１１へ送信する。これにより、前記少量データは、低速通信で無線送信され、前記使用周波数帯の情報がデータ出力変換手段１１に送付される。
【００３３】
高速送信部３は、主制御部４の動作指示と前記データを受け、前記データを所定の周波数の搬送波で変調し高速送信アンテナ１ｂを介してデータ出力変換手段１１へ送信する。
【００３４】
高速送信部３は、高速でデータを送受信する高速送信機能３Ａと、利用可能な複数の周波数帯を検索する空き周波数帯検索機能３Ｂと、前記多量データの送信にかかる算定時間を前記空き周波数帯の情報に基づいて算定する送信時間算定機能３Ｃと、前記複数の周波数帯の内、算定された送信時間が最小な周波数帯を使用周波数帯として決定する機能を有する周波数帯決定機能３Dとから構成されている。これにより、前記多量データを送信する送信時間を最小にする使用周波数帯を決定することができる。
【００３５】
この内、空き周波数帯検索機能３Ｂは、現在利用可能な空き周波数帯を検索する。検索された複数の周波数帯の情報は、伝送時間算定機能３Cへ伝達される。
【００３６】
送信時間算定機能３Cは、空き周波数帯検索機能３Ｂにより検索された複数の周波数帯における前記データを送信するに要する時間を、前記空き周波数帯の情報から単位時間に送信可能な情報量を算定し、前記空き周波数帯での前記データの送信時間を前記情報量に基づいて算定する。そして、この算定した時間を周波数帯決定機能３Dに伝達する。
周波数帯決定機能３Dは、前記空き周波数帯の内、送信に要する時間を最小とする周波数帯を選定し、この使用する周波数帯として決める。又、使用する周波数帯の情報を制御部５を通して低速送受信部２Ｂへ送る。これにより、前記多量データを送信する送信時間を最小にする周波数帯を決定することができる。
【００３７】
高速送信機能３Ａは、周波数帯決定機能３Dで決定された使用する周波数帯で前記データを所定の周波数の搬送波で変調し高速送信アンテナ１ｂを介してデータ出力変換手段１１へ送信する。これにより、前記多量データは、高速通信で無線送信される。
【００３８】
クロック部７は、主制御部４を低速送受信部２と高速送信部３とを同期させる。これにより、主制御部４は低速送受信部２及び高速送信部３と、同期して情報のやり取りを行うことができる。
【００３９】
一方、データ出力変換手段１１は、低速通信アンテナ１１ａを介して受信した前記データを取り出す低速通信部１２と、高速通信アンテナ１１ｂを介して受信した信号を復調して前記データを取り出す高速通信部１３と、高速通信部１３に受信動作を制御する動作制御部１４とを有している。
【００４０】
この内、低速通信部１２は、低速送受信部２から前記データが送信された際には、低速通信アンテナ１１ａを介して受信した信号を復調して前記データを取り出して、当該データを動作制御部１４を通して被制御装置本体２１に送信する。又、低速通信部１２は、データ入力変換手段１の低速送受信部２から送信された前記使用周波数帯の情報を受信し、動作制御部１４に送信する（周波数帯使用情報伝達機能）。これにより、動作制御部１４は、この情報に基づいて高速通信部１３に高速受信の指示を出し、高速通信部１３は、高速受信の待ち受け状態に入ることができる。
【００４１】
又、高速通信部１３は、データ入力変換手段１の高速送信機能３Ａと高速通信する。そのため、高速送信機能３Ａが送信する前記多量のデータを、高速送信機能３Ａが使用する周波数帯に合わせて高速通信する機能を備えている。この高速通信部１３は、動作制御部１４から受信する前記周波数帯の情報に基づいて、高速送信機能３Ａから送信される前記データを受信する準備を行う（周波数帯可変設定機能）。そして、高速受信アンテナ１１ｂを介して受信した前記信号を復調して前記データを取り出して、動作制御部１４を通して被制御装置本体２１に送信する。これにより、データ出力変換手段１１は、高速通信により、前記多量のデータをより迅速に受信することができる。
【００４２】
低速通信アンテナ１１ａは低速送受信アンテナ１ａから発信された信号を受信する。又、高速通信アンテナ１１ｂは高速送信アンテナ１ｂから発信された信号を受信する。これにより、データ出力変換部１１は前記データ入力変換部１から出力される信号を受信することができる。
【００４３】
動作制御部１４は、データ出力変換部１１側にあって、低速通信部１２及び高速通信部１３の各動作を制御し、低速通信部１２と高速通信部１３とにより復調された前記データを被制御装置本体２１へ送信する。又、動作制御部１４は、低速通信部１２から前記周波数帯の情報を受けそれを高速通信部１３に伝達する。これにより、低速通信部１２、高速通信部１３と被制御装置本体２１とのそれぞれの間での情報のやり取りを行うことができるようになる。
【００４４】
被制御装置本体２１は、データ出力変換手段１１の動作制御部１４から前記データを受け取り、このデータを利用する。この被制御装置本体２１は、受信したデータ、例えば、映像を表示し音楽を発信するディスプレイやスピーカで構成されている。これにより、オペレータにより、データ入力変換手段１に入力された前記データを、被制御装置本体２１で利用することができるようになる。
【００４５】
（全体の動作）
次に、本実施形態の全体的な動作を、図２に基づいて説明する。ここで、図２は、図１に開示した本実施形態における動作を示すフローチャートである。
【００４６】
最初に、本実施形態における基本的な動作を説明し、続いて、全体的な動作を説明する。
データ入力変換部１は、情報入力部６が送信用のデータを入力し（データ入力工程）、無線通信により、データ入力変換部１の低速送受信部２からデータ出力変換部１１の低速通信部１２へ少量のデータを低速で送信する（ステップＳ２０２／少量データ送信工程）。又、データ入力変換部１の前記高速送信部３は、データ出力変換部１１の高速通信部１３へ多量のデータを高速で送信する（ステップＳ１１３／多量データ送信工程）。
【００４７】
上記の各データの送信を行うため、前記データを前記データ入力変換部が入力した際に（データ入力工程）、入力されたデータの量を、データ入力変換部１のデータ量判定部４が判定し（ステップＳ１０２／データ量判定工程）、前記データ量が予め入力された判定基準以下と前記データ量判定部４が判断した場合には前記データを低速でデータ入力変換部１の低速送受信部２が送信する（ステップＳ２０２／少量データ送信工程）。又、前記データ量が前記判定基準より多いと前記データ量判定部４が判断した場合には、空き周波数帯を前記高速送信部３の空き周波数帯検索機能３Ｂが検索し（ステップＳ１０４／周波数帯検索工程）、前記空き周波数帯の内で前記多量データの送信時間を最小とする周波数帯を使用周波数帯として前記高速送信部３の周波数帯決定機能３Dが特定し（ステップＳ１０６／周波数帯決定工程）、前記周波数帯に対応して前記多量データを前記データ入力変換部１の前記高速送信部３が送信する（ステップＳ１１２／多量データ送信工程）。
【００４８】
次に、全体的な動作を図２に基づいて詳細に説明する。
【００４９】
データ入力変換部１とデータ出力変換部１１との間で前記データの通信を行う前に、予め、データ入力変換部１とデータ出力変換部１１との間及び低速送受信部２と低速通信部１２との間で同期を取り、データ出力変換部１１の低速通信部１２を、待ち受け状態に設定する。
【００５０】
次に、上述したように、データ入力変換部１の情報入力部６に、前記データが入力される（ステップＳ１０１／データ入力工程）。そして、この入力されたデータの量が、予め設定された判定基準以下（少量データ）であるか或いは判定基準より多い（多量データ）かをデータ量判定部５が判定する（ステップＳ１０２／データ量判定工程）。
【００５１】
次に、入力されたデータをデータ量判定部５が、多量データと判断した場合は、高速通信の準備を行う（ステップS１０３からステップS１１０まで）。その各ステップを説明する。
【００５２】
入力されたデータが多量データである場合、このデータ量判定部５による判定結果を主制御部４が受ける。そして、この判定結果を基に主制御部４が、高速送信部３に動作指令を出し、高速送信部３が動作工程に入る（ステップＳ１０３／高速送信部動作工程）。
【００５３】
そして、高速送信部３内の空き周波数帯検索機能３Ｂが稼動し、複数の空き周波数帯を検索する。（ステップＳ１０４／周波数帯検索工程）。この検索された複数の各空き周波数帯において送信に要する時間をそれぞれの前記空き周波数帯の情報に基づいて送信時間算定機能３Cが算定する（ステップＳ１０５／送信時間算定工程）。そして、これら複数の周波数帯の内、送信時間が最小となる周波数帯を使用周波数帯として周波数帯決定機能３Dが決定する（ステップＳ１０６／周波数帯決定工程）。
【００５４】
この使用周波数帯の情報を高速送信部３が主制御部４へ送信し、高速送信部３は、非同期の待ち受け状態に入る（ステップＳ１０７／非同期待ち受け工程）。
主制御部４が、低速受信部２の周波数帯情報送信機能２Ｂへ、高速送信部３が使用する周波数帯の情報を送る（ステップＳ１０８／周波数帯送信準備工程）。
【００５５】
この使用周波数帯の情報を、主制御部４からの指令により低速送受信部８がデータ出力変換部１１へ送信する（ステップＳ１０９／周波数帯情報送信工程）。
データ出力変換部１１の低速通信部１２は、前記使用周波数帯の情報を受信し動作制御部１４を通して高速通信部１３へ送る。そして、この使用周波数帯で、高速通信部１３と高速送信部３とが同期状態に入り、お互いに通信することが可能な状態に入る（ステップＳ１１０／高速通信同期工程）。
そしてデータ量判定部５が、多量データを高速送信部３へ送る（ステップＳ１１１／多量データ送信準備工程）。
【００５６】
即ち、高速送信部３は、多量データを、高速送信アンテナ１ｂを介してデータ出力変換部１１へ送信する。（ステップＳ１１２／多量データ送信工程）。
【００５７】
この電波をデータ出力変換部１１側では、高速通信部１３がデータ入力変換手段１から発信される信号を高速通信アンテナ１１ｂを介して受信し前記データに復調し、動作制御部１４を通して被制御装置本体２１へ有線通信で前記データを送る（ステップＳ１１３／多量データ受信工程）。
【００５８】
そして、高速通信終了後、高速用送受信部３と高速通信部１３は、通信動作を完了する（ステップＳ１１４／通信終了工程）。そして、前記データは、動作制御部１４を通して被制御装置本体２１へ有線で送信され、このデータは、被制御装置本体２１で活用される。
【００５９】
一方、入力されたデータをデータ量判定部５が、ステップＳ１０２のデータ量判定工程で前記判定基準以下の少量のデータと判断した場合は、この情報に基づいて主制御部４が低速送受信部２に動作指令を出し、低速送受信部２を動作させる（ステップＳ２０１／低速送受信部動作工程）。
【００６０】
主制御部４から動作指令を受けた低速送受信部２は、その低速送受信機能２Ａが稼動して前述した少量のデータを低速送受信アンテナ１ａを介してデータ出力変換部１１へ送信する（ステップＳ２０２／少量データ送信工程）。
【００６１】
そして、前記データを、データ出力変換部１１側では、低速通信部１２が低速通信アンテナ１１ａを介して前述したデータを受信する（ステップＳ２０３／少量データ受信工程）。この受信されたデータは、動作制御部１４を通して被制御装置本体２１へ有線で送信され被制御装置本体２１で活用される。
【００６２】
ここで、上述した動作説明において各工程で実行される内容を、プログラム化しコンピュータに実行させるようにしてもよい。
【００６３】
尚、本第１実施形態では、データ出力変換手段１１は、データ入力変換手段１の代わりにデータ入力変換手段１が行う前記使用する周波数帯の検索、決定、及びこの周波数帯の情報の送信機能を有していてもよい。それと同時に、データ入力変換手段１は、データ出力変換手段１１の代わりにこの周波数帯の情報を受信する機能を有していてもよい。これにより、データ入力変換手段１は、空き周波数帯を検索するために必要な高速通信用の電波を受信する機能を保持する必要がなく、データ出力変換手段１１の構成がさらに簡素化される。
【００６４】
〔実施例〕
実際の製品では、本発明は、受像リモートコントローラ（以下、受像リモコンという）システムに適用できる。図３は、この受像リモコンのシステムを示すブロック図である。データ入力変換手段を内臓したリモコン１Ａ（以下、リモコン１Ａという）が、音声データ、チャンネル切り替え情報と画像データを所持し、音声データ、チャンネル切り替え情報と画像データをデータ出力変換手段１１Aを通して受像機２１Ａに送り、受像機２１Ａでこれらの情報を利用する。
【００６５】
以下、図３に基づいて具体的に説明する。
この受像リモートコントローラ（以下、受像リモコンという）システムは、データ入力変換手段を内臓したリモコン１Ａ（（以下、リモコン１Ａという）とデータ出力変換手段１１Ａと受像機２１Ａから構成されている。リモコン１Ａは、たとえば半導体メモリカードを挿入できる携帯電話である。受像機２１Ａは、たとえば家庭用ＴＶモニタであり、データ出力変換手段１１Ａは、無線送受信機能を持った機器であり、有線で家庭用ＴＶモニタに接続されている。
【００６６】
リモコン１Ａは、低速送受信部２、高速送信部３、低速送受信アンテナ１ａ及び高速送信アンテナ１ｂを有している。それぞれ図１の第一実施形態のブロック図での低速送受信部２、高速送信部３、低速送受信アンテナ１ａ及び高速送信アンテナ１ｂと同等の機能を有している。その他の構成もデータ入力変換手段１と同等であり同じ動作をする。リモコン１Ａは、音声と受像機２１Ａのチャンネル切り替え情報及び画像を送信する。
【００６７】
データ出力変換手段１１Ａは、低速通信部１２と高速通信部１３と低速通信アンテナ１１ａと高速通信アンテナ１１ｂを有している。それぞれ図１の第一実施形態のブロック図での低速通信部１２、高速通信部１３、低速通信アンテナ１１ａ及び高速通信アンテナ１１ｂと同等の機能を有している。その他の構成もデータ出力変換手段１１と同じである。その他の構成もデータ出力変換手段１１と同等であり同じ動作をする。
【００６８】
又、受像機２１Ａは、被制御装置本体２１に相当する。
【００６９】
動作としては前述した全体の動作と同じ動作を行う。リモコン１Ａが、音声データ及びチャンネル切り替え情報を送る場合は、低速信号にて送り、画像データを受像機２１Ａに送る場合は、高速信号で送る。
【００７０】
音声データ及びチャンネル切り替え情報を低速信号で送信することにより、消費電力を低減できる。又、画像データを送信時間を最小にする周波数帯で高速信号で送信することにより、画像データをリモコン1Ａが送信してから、受像機２１Ａ長時間待たずに当該多量のデータを利用することができるという優れた効果を得ることができる。
【００７１】
（第１実施形態の効果）
本第１実施形態は、上述したように構成され機能するので、これによると、多量のデータを対象とした高速通信する際には、送信時間が最小になるように周波数帯決定機能３Dが複数の空き周波数帯の内より使用周波数帯を選定し決定するようにしたので、高速通信時間を有効に低減することができ、周波数帯の有効利用をすることができる。更に、少量データを対象とした低速通信では、消費電力を少なくすることができる。
このように、本実施形態は、データを無線送信する際に、消費電力を少なくすることができ高速通信時間を有効に低減することができるという優れた効果を得ることができる。
【００７２】
[第２の実施形態] 
次に、本発明にかかる第２の実施の形態を図４に基づいて説明する。
図４は、本発明による無線送受信システムの第２の実施形態を示すブロック図である。この図４では、前述した第１の実施形態における図１と同一部分には同一符号を付している。本第２の実施形態が、第１の実施形態と異なる点は下記である。
【００７３】
高速送信機能３Ａの代わりに、高速送信機能３Ａが有する高速送信機能に加えて高速で受信する機能を備えた高速送受信機能３１Ａが設置され、それに伴い高速送信部３に代わり、高速送受信機能３１Ａを備えた高速送受信部３１が設置されている。
高速通信部１３の代わりに、高速通信部１３が有する高速受信機能に加えて高速で送信する機能を備えた高速通信部１３Ａが設置されている。
それ以外の構成は、図１の第１の実施形態と同じとなっている。
【００７４】
これにより、本第２実施形態では、前記データ出力変換手段１が前述したデータ入力変換手段１１と同等の送信機能を有すると共に前記データ入力変換手段１が前述したデータ出力変換手段１１と同等の受信機能を有するようにしたので、相互にデータを送受信することができるようになり、お互いが保持するデータを送受信し各々が利用することが可能となるという優れた効果を有する。
その他の構成及び作用効果は前述の第１実施形態と同等となっている。
【００７５】
[第３の実施形態] 
次に、本発明にかかる第３の実施の形態を図５に基づいて説明する。
図５は、本発明による無線送受信システムの第３の実施形態を示すブロック図である。この図５では、前述した第１の実施形態における図１と同一部分には同一符号を付している。本第３の実施形態が、第１の実施形態と異なる点は下記である。
【００７６】
本第３の実施形態では、低速送受信アンテナ１ａと低速通信アンテナ１１ａの間の無線電波が通過する空間に、導電体部３０が配置されている。それ以外の構成は、図１の第１の実施形態と同じとなっている。
この導電体部３０が、低速用電波を案内し伝播するようにする。これにより伝送中の電波の損失が低減され、低速通信中の消費電力を非常に低減することができるという優れた効果を有する。
その他の構成及び作用効果は前述の第１実施形態と同等となっている。
【００７７】
上述した各実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００７８】
（付記１）
外部入力されるデータを無線通信により送信するデータ入力変換部と、このデータ入力変換部から送信される前記データを被制御装置駆動用として受信するデータ出力変換部とを備えて成る無線送受信システムにおいて、
前記データ入力変換部が、データの量の大小を予め設定された判定基準に基づいて判定するデータ量判定部と、前記データ量が前記判定基準以下である旨前記データ量判定部が判断した場合に前記データを低速で送信する低速送受信部と、前記データ量が前記判定基準より多いと前記データ量判定部が判断した場合に前記データを高速で送信する高速送信部とを備えた構成とし、
前記データ出力変換部が、前記低速送受信部と通信する低速通信部と、前記高速送信部と通信する高速通信部とを備えた構成とし、
前記データ入力変換部の前記高速送信部が、複数の空き周波数帯を検索する空き周波数帯検索機能と、前記複数の空き周波数帯の内の前記データの送信時間を最小とする周波数帯を特定する周波数帯決定機能とを備えていることを特徴とする無線送受信システム。
【００７９】
（付記２）
付記１に記載の無線送受信システムにおいて、
前記高速送信部が、前記周波数帯の特定に際しては、前記各空き周波数帯の情報に基づいて単位時間に送信可能な情報量をそれぞれ算定すると共に、これに基づいて前記送信データの送信時間を各周波数帯毎に算定する送信時間算定機能を有することを特徴とする無線送受信システム。
【００８０】
（付記３）
付記２に記載の無線送受信システムにおいて、
前記データ入力変換部の低速送受信部は、前記高速送信部が使用する周波数帯の情報を前記データ出力変換部の前記低速通信部へ送信する周波数帯情報送信機能を有し、
前記データ出力変換部の前記低速通信部は、前記高速送信部が使用する周波数帯の情報を受信すると共に予め装備した動作制御部へ伝達する周波数帯使用情報伝達機能を有し、
前記動作制御部から伝達された前記使用周波数帯を、前記高速通信部が前記高速送信部と通信する周波数として可変設定する周波数帯可変設定機能を有することを特徴とした無線送受信システム。
【００８１】
（付記４）
付記１乃至３の何れか１つに記載の無線送受信システムにおいて、
前記データ出力変換手段が前記データ入力変換手段と同等の送信機能を有すると共に、前記データ入力変換手段が前記データ出力変換手段と同等の受信機能を備えた構成とし、相互にデータを送受信することができる双方向通信機能を備えていることを特徴とした無線送受信システム。
【００８２】
（付記５）
付記１乃至４の何れか１つに記載の無線送受信システムにおいて、
前記データ入力変換手段と前記データ出力変換手段との間における低速通信側の通信空間に、前記低速送受信部と前記低速通信部との間で送受信用の電波の伝播を案内する導電体部を配設したことを特徴とする無線送受信システム。
【００８３】
（付記６）
外部入力されるデータを無線通信により送信するデータ入力変換部と、このデータ入力変換部から送信される前記データを被制御装置駆動用として受信するデータ出力変換部とを備えて成る無線送受信システムにあって、
前記データの量の大小を前記データ入力変換部のデータ量判定部が予め設定された判定基準に基づいて判定し、前記データ量が前記判定基準以下と判定された場合に前記データを低速で前記データ入力変換部の低速送受信部がデータ出力変換部へ低速で送信し、前記データ量が前記判定基準より多いと判定された場合に前記データを前記データ入力変換部の高速送信部がデータ出力変換部へ高速で送信し、
前記高速送信部による前記データの高速送信に先立って、
前記高速通信に使用する空き周波数帯を前記高速送信部が検索し、この検索により前記複数の空き周波数帯が検索された場合には、その内で前記データの送信時間を最小とする周波数帯を使用周波数帯として高速送信部が特定することを特徴とする無線送受信方法。
【００８４】
（付記７）
付記６に記載の無線送受信方法において、
前記空き周波数帯の特定に際しては、
前記各空き周波数帯の情報に基づいて単位時間に送信可能な情報量を空き周波数帯毎にそれぞれ算定し、この算定結果に基づいて前記送信データの送信時間を各空き周波数帯毎に算定し、これらの各算定を前記高速送信部が実行することを特徴とする無線送受信方法。
【００８５】
（付記８）
データ入力変換部から送信されるデータを被制御装置駆動用として受信するデータ出力変換部とを備えて成る無線送受信システムにあって、
前記高速送信部で特定された使用周波数帯に係る情報を、前記低速送受信部が前記データ出力変換部へ送信し、この情報を受信した前記データ出力変換部の前記低速通信部はこの情報を予め装備された前記データ出力変換部の動作制御部へ伝達し、前記動作制御部に伝達された前記情報に基づいて前記高速通信部が、前記高速送信部との通信を実行することを特徴とする無線送受信方法。
【００８６】
（付記９）
外部入力されるデータを無線通信により送信するデータ入力変換部と、このデータ入力変換部から送信される前記データを被制御装置駆動用として受信するデータ出力変換部とを備えて成る無線送受信システムにあって、
前記データの量の大小を予め設定された判定基準に基づいて判定するデータ量判定機能、前記データ量が前記判定基準以下と判定された場合に、前記データを前記データ入力変換部に予め設定された低速送受信部を介して前記データ出力部へ低速送信するデータ低速送信制御機能、
前記データの量が前記判定基準より多いと判定された場合に前記データを前記データ入力変換部に予め設定された高速送信部を介して前記データ出力部へ高速送信するデータ高速送信制御機能、
前記データ高速送信制御機能による前記データの高速通信に際しては、予め前記高速通信に使用する空き周波数帯を当該高速送信部を介して検索する空き周波数帯検索制御機能、
およびこの検索により複数の空き周波数帯が検索された場合に、その内で前記データの送信時間が最小となる周波数帯を使用周波数帯として特定する使用周波数帯特定機能、
をプログラム化しコンピュータに実現させるようにしたことを特徴とする無線送受信システム用制御プログラム。
【００８７】
（付記１０）
付記９に記載の無線送受信システム用制御プログラムにおいて、
前記空き周波数帯の特定に際しては、前記各空き周波数帯の情報に基づいて単位時間に送信可能な情報量を空き周波数帯毎に算定する送信情報量算定機能、
およびこの算定結果に基づいて前記送信データの送信時間を各空き周波数帯毎に算定する送信時間算定機能を設け、
これらをプログラム化し前記コンピュータに実現させるようにしたことを特徴とする無線送受信システム用制御プログラム。
【００８８】
（付記１１）
データ入力変換部から送信されるデータを被制御装置駆動用として受信するデータ出力変換部を備えて成る無線送受信システムにあって、
前記使用周波数帯にかかる情報が前記データ出力変換部へ送られてきた場合に予め装備された低速通信部を介してこれを受信する使用周波数帯情報受信処理機能、
およびこの受信された使用周波数帯にかかる情報を予め装備された動作制御部を介して予め装備された高速通信部へ伝送し当該高速通信部と前記高速送信部との無線通信を実行可能状態に設定する通信可能状態設定機能を設け、
これらをコンピュータに実現させるようにしたことを特徴とする無線送受信システム用制御プログラム。
【産業上の利用可能性】
【００８９】
本発明は、映像と音声データを所有している家庭内の一映像プレイヤがこのデータを無線で送信し、家庭内の各部屋に設置された各受信機が前述したデータを受信し、このデータを各々の受像機が設置されている部屋の各テレビ受像機に有線で送信し、このテレビ受像機で再生するといったシステムに利用できる。
【符号の説明】
【００９０】
１  データ入力変換部
２  低速送受信部
３  高速送信部
５  データ量判定部
１１  データ出力変換部
１２  低速通信部
１３  高速通信部
２Ａ  低速送受信機能
２Ｂ  周波数帯情報送信機能
３Ａ  高速送信機能
３Ｂ  空き周波数帯検索機能
３C  送信時間算定機能
３D  周波数帯決定機能
４１Ａ  導電体部
【図１】
2011188425.tif 000003
【図２】
2011188425.tif 000004
【図３】
2011188425.tif 000005
【図４】
2011188425.tif 000006
【図５】
2011188425.tif 000007
【図６】
2011188425.tif 000008